(57)【要約】  本技術の一形態に係る画像表示装置は、光源部と、第１のセンサ部と、第２のセンサ部と、光源制御部とを具備する。前記光源部は、出射光を出射可能である。前記第１のセンサ部は、前記出射光の状態を検出可能である。前記第２のセンサ部は、前記光源部の温度を検出可能である。前記光源制御部は、前記第１のセンサ部による第１の検出結果、及び前記第２のセンサ部による第２の検出結果に基づいて、前記光源部を制御可能である。
2019111548.tif 000002
【特許請求の範囲】
【請求項１】
出射光を出射可能な光源部と、
前記出射光の状態を検出可能な第１のセンサ部と、
前記光源部の温度を検出可能な第２のセンサ部と、
前記第１のセンサ部による第１の検出結果、及び前記第２のセンサ部による第２の検出結果に基づいて、前記光源部を制御可能な光源制御部と
を具備する画像表示装置。
【請求項２】
請求項１に記載の画像表示装置であって、
前記光源制御部は、前記第２の検出結果が所定の基準温度よりも低い場合に、前記光源部から出射される前記出射光の強度が一定に維持されるように、前記光源部を制御する
画像表示装置。
【請求項３】
請求項２に記載の画像表示装置であって、
前記光源制御部は、前記第２の検出結果が所定の基準温度よりも高い場合に、前記光源部の温度の上昇が抑制されるように、前記光源部を制御する
画像表示装置。
【請求項４】
請求項２に記載の画像表示装置であって、
前記光源制御部は、前記第２の検出結果が所定の基準温度よりも高い場合に、前記光源部の温度の上昇を抑制しつつ、前記光源部から出射される前記出射光の強度が一定に維持されるように、前記光源部を制御する
画像表示装置。
【請求項５】
請求項１に記載の画像表示装置であって、
前記光源部は、電流が供給されることにより駆動する１以上の光源を有し、
前記第２のセンサ部は、前記１以上の光源の温度を前記光源部の温度として検出し、
前記光源制御部は、前記１以上の光源に供給される電流を制御する
画像表示装置。
【請求項６】
請求項５に記載の画像表示装置であって、
前記光源制御部は、前記第２の検出結果が所定の基準温度よりも高い場合に、前記１以上の光源に供給される電流を増加させるための増加率を制御する
画像表示装置。
【請求項７】
請求項６に記載の画像表示装置であって、
前記光源制御部は、前記第２の検出結果が前記所定の基準温度よりも高い第１の温度よりも高い場合に、前記１以上の光源に供給される電流の増加を禁止する
画像表示装置。
【請求項８】
請求項７に記載の画像表示装置であって、
前記光源制御部は、前記第２の検出結果が所定の基準温度よりも低い場合に、前記１以上の光源に供給される電流を増加させるための増加率として、第１の増加率を設定する
画像表示装置。
【請求項９】
請求項８に記載の画像表示装置であって、
前記光源制御部は、前記第２の検出結果が所定の基準温度から前記第１の温度までの範囲に含まれる場合に、前記１以上の光源に供給される電流を増加させるための増加率として、前記第１の増加率よりも低い第２の増加率を設定する
画像表示装置。
【請求項１０】
請求項７に記載の画像表示装置であって、
前記光源制御部は、前記第２の検出結果が前記第１の温度から前記第１の温度よりも高い第２の温度までの範囲に含まれる場合に、第１の減少率により前記１以上の光源に供給される電流を減少させる
画像表示装置。
【請求項１１】
請求項１０に記載の画像表示装置であって、
前記光源制御部は、前記第２の検出結果が前記第２の温度から前記第２の温度よりも高い第３の温度までの範囲に含まれる場合に、前記第１の減少率よりも高い第２の減少率により前記１以上の光源に供給される電流を減少させる
画像表示装置。
【請求項１２】
請求項１１に記載の画像表示装置であって、
前記光源制御部は、前記第２の検出結果が前記第３の温度よりも高い場合に、前記１以上の光源への電流の供給を停止する
画像表示装置。
【請求項１３】
請求項１に記載の画像表示装置であって、
前記所定の基準温度は、前記光源部の動作保証温度の上限を基準に、前記動作保証温度の上限よりも低い温度に設定される
画像表示装置。
【請求項１４】
請求項１２に記載の画像表示装置であって、
前記第１の温度、前記第２の温度、及び前記第３の温度の各々は、前記光源部の動作保証温度の上限を基準に、前記動作保証温度の上限よりも低い温度に設定される
画像表示装置。
【請求項１５】
請求項１に記載の画像表示装置であって、さらに、
外部の温度を検出可能な第３のセンサ部と、
前記第１のセンサ部による第１の検出結果、前記第２のセンサ部による第２の検出結果、及び前記第３のセンサ部による第３の検出結果に基づいて、前記光源部の状態に関する状態情報を生成する生成部と
を具備する画像表示装置。
【請求項１６】
請求項１５に記載の画像表示装置であって、さらに、
外部の空気を吸入する吸気口を有する筐体部を具備し、
前記第３のセンサ部は、前記吸気口の近傍に配置され前記吸気口から吸入される前記外部の空気の温度を、前記外部の温度として検出する
画像表示装置。
【請求項１７】
請求項１５に記載の画像表示装置であって、
前記光源制御部は、前記生成された状態情報に基づいて、前記光源部を制御する
画像表示装置。
【請求項１８】
請求項１に記載の画像表示装置であって、さらに、
前記光源部から出射された前記出射光に基づいて画像を生成する画像生成部と、
前記画像生成部により生成された画像を投射する投射部と
を具備する画像表示装置。
【発明の詳細な説明】
【技術分野】
【０００１】
本技術は、プロジェクタ等の画像表示装置に関する。
【背景技術】
【０００２】
従来からプロジェクタ等の画像表示装置が広く用いられている。例えば光源からの光が液晶素子等の光変調素子により変調され、その変調光がスクリーン等に投影されることで画像が表示される。光源としては、水銀ランプ、キセノンランプ、ＬＥＤ（Light Emitting Diode）やＬＤ（Laser Diode）等が用いられる。このうちＬＥＤやＬＤ等の固体光源は寿命が長く従来のようなランプ交換が不要であり、また電源を入れて即時に点灯するといった利点を有する。【０００３】
特許文献１には、環境温度センサ、光源温度センサ、及び光学系温度センサが備えられた画像表示装置が記載されている。環境温度センサは、吸気口の近傍に配置され外部温度を測定可能である。光源温度センサはレーザ光源の温度を測定可能であり、光学系温度センサは照明光学系の温度を測定可能である。各温度センサにより測定された温度に基づいて画像表示装置を適宜制御することで、装置の長寿命化が実現されている（特許文献１の明細書段落［０１０２］［０１０３］［０１１３］［０１２４］［０１３１］図１等）。
【先行技術文献】
【特許文献】
【０００４】
【特許文献１】国際公開第２０１４／１９６１２４号
【発明の概要】
【発明が解決しようとする課題】
【０００５】
プロジェクタ等の画像表示装置では、光源の経時変化等により輝度が低下してしまうことがある。このような問題を防止するために光源を高精度に制御することを可能とする技術が求められている。【０００６】
以上のような事情に鑑み、本技術の目的は、光源を高精度に制御することが可能な画像表示装置を提供することにある。
【課題を解決するための手段】
【０００７】
上記目的を達成するため、本技術の一形態に係る画像表示装置は、光源部と、第１のセンサ部と、第２のセンサ部と、光源制御部とを具備する。
前記光源部は、出射光を出射可能である。
前記第１のセンサ部は、前記出射光の状態を検出可能である。
前記第２のセンサ部は、前記光源部の温度を検出可能である。
前記光源制御部は、前記第１のセンサ部による第１の検出結果、及び前記第２のセンサ部による第２の検出結果に基づいて、前記光源部を制御可能である。【０００８】
この画像表示装置では、第１及び第２のセンサ部により、出射光の状態及び光源部の温度がそれぞれ検出される。これらの検出結果を利用することで、光源部を高精度に制御することが可能となる。【０００９】
前記光源制御部は、前記第２の検出結果が所定の基準温度よりも低い場合に、前記光源部から出射される前記出射光の強度が一定に維持されるように、前記光源部を制御してもよい。【００１０】
前記光源制御部は、前記第２の検出結果が所定の基準温度よりも高い場合に、前記光源部の温度の上昇が抑制されるように、前記光源部を制御してもよい。【００１１】
前記光源制御部は、前記第２の検出結果が所定の基準温度よりも高い場合に、前記光源部の温度の上昇を抑制しつつ、前記光源部から出射される前記出射光の強度が一定に維持されるように、前記光源部を制御してもよい。【００１２】
前記光源部は、電流が供給されることにより駆動する１以上の光源を有してもよい。この場合、前記第２のセンサ部は、前記１以上の光源の温度を前記光源部の温度として検出してもよい。また前記光源制御部は、前記１以上の光源に供給される電流を制御してもよい。【００１３】
前記光源制御部は、前記第２の検出結果が所定の基準温度よりも高い場合に、前記１以上の光源に供給される電流を増加させるための増加率を制御してもよい。【００１４】
前記光源制御部は、前記第２の検出結果が前記所定の基準温度よりも高い第１の温度よりも高い場合に、前記１以上の光源に供給される電流の増加を禁止してもよい。【００１５】
前記光源制御部は、前記第２の検出結果が所定の基準温度よりも低い場合に、前記１以上の光源に供給される電流を増加させるための増加率として、第１の増加率を設定してもよい。【００１６】
前記光源制御部は、前記第２の検出結果が所定の基準温度から前記第１の温度までの範囲に含まれる場合に、前記１以上の光源に供給される電流を増加させるための増加率として、前記第１の増加率よりも低い第２の増加率を設定してもよい。【００１７】
前記光源制御部は、前記第２の検出結果が前記第１の温度から前記第１の温度よりも高い第２の温度までの範囲に含まれる場合に、第１の減少率により前記１以上の光源に供給される電流を減少させてもよい。【００１８】
前記光源制御部は、前記第２の検出結果が前記第２の温度から前記第２の温度よりも高い第３の温度までの範囲に含まれる場合に、前記第１の減少率よりも高い第２の減少率により前記１以上の光源に供給される電流を減少させてもよい。【００１９】
前記光源制御部は、前記第２の検出結果が前記第３の温度よりも高い場合に、前記１以上の光源への電流の供給を停止してもよい。【００２０】
前記所定の基準温度は、前記光源部の動作保証温度の上限を基準に、前記動作保証温度の上限よりも低い温度に設定されてもよい。【００２１】
前記第１の温度、前記第２の温度、及び前記第３の温度の各々は、前記光源部の動作保証温度の上限を基準に、前記動作保証温度の上限よりも低い温度に設定されてもよい。【００２２】
前記画像表示装置は、さらに、第３のセンサ部と、生成部とを具備してもよい。
前記第３のセンサ部は、外部の温度を検出可能である。
前記生成部は、前記第１のセンサ部による第１の検出結果、前記第２のセンサ部による第２の検出結果、及び前記第３のセンサ部による第３の検出結果に基づいて、前記光源部の状態に関する状態情報を生成してもよい。【００２３】
前記画像表示装置は、さらに、外部の空気を吸入する吸気口を有する筐体部を具備してもよい。この場合、前記第３のセンサ部は、前記吸気口の近傍に配置され前記吸気口から吸入される前記外部の空気の温度を、前記外部の温度として検出してもよい。【００２４】
前記光源制御部は、前記生成された状態情報に基づいて、前記光源部を制御してもよい。【００２５】
前記画像表示装置は、さらに、画像生成部と、投射部とを具備してもよい。
前記画像生成部は、前記光源部から出射された前記出射光に基づいて画像を生成する。
前記投射部は、前記画像生成部により生成された画像を投射する。
【発明の効果】
【００２６】
以上のように、本技術によれば、光源を高精度に制御することが可能となる。なお、ここに記載された効果は必ずしも限定されるものではなく、本開示中に記載されたいずれかの効果であってもよい。
【図面の簡単な説明】
【００２７】
【図１】一実施形態に係る画像表示装置の構成例を示す概略図である。
【図２】画像生成部及び投射部の構成例を示す概略図である。
【図３】光源部の構成例を示す斜視図である。
【図４】光源部の内部の構成例を模式的に示す図である。
【図５】光源ユニットの構成例を示す斜視図である。
【図６】蛍光体ユニットによる白色光Ｗの生成を説明するための図である。
【図７】光源制御部による光源部の制御の概要を説明するための模式的なグラフである。
【図８】温度監視制御の一例を示すフローチャートである。
【図９】輝度一定制御の一例を示すフローチャートである。
【図１０】温度監視付き輝度一定制御の一例を示す図である。
【図１１】目標電流値の補正の一例を説明するための模式的な図である。
【発明を実施するための形態】
【００２８】
以下、本技術に係る実施形態を、図面を参照しながら説明する。
【００２９】
［画像表示装置］
図１は、本技術の一実施形態に係る画像表示装置の構成例を示す概略図である。以下の説明では、画像表示装置５００の左右方向、前後方向、及び高さ方向を、Ｘ方向、Ｙ方向及びＺ方向として説明を行う。もちろんこのような方向の設定に限定される訳ではない。
【００３０】
画像表示装置５００は、例えばプレゼンテーション用、もしくはデジタルシネマ用のプロジェクタとして用いられる。その他の用途に用いられる任意の画像表示装置に、以下に説明する本技術は適用可能である。
【００３１】
画像表示装置５００は、光源部１００と、画像生成部２００と、投射部４００と、筐体部４５０と、センサ機構４７０とを有する。
【００３２】
光源部１００は、画像生成部２００に向けて出射光を出射する。画像生成部２００は、光源部１００から出射された出射光に基づいて画像を生成する。投射部４００は、画像生成部２００により生成された画像をスクリーン等に投射する。
【００３３】
筐体部４５０は、外枠部４５１と、吸気口４５２と、排気口４５３とを有する。外枠部４５１は、光源部１００、画像生成部２００、及び投射部４００を囲むように構成される。外枠部４５１は略直方体形状を有し、前面部４５４、背面部４５５、側面部４５６、底面部４５７、及び上面部を有する。なお図１では、上面部の図示が省略されている。
【００３４】
吸気口４５２は、外枠部４５１の２つの側面部４５６ａ及び４５６ｂのうち一方の側面部４５６ａに形成され、外部の空気を吸入する。排気口４５３は、２つの側面部４５６ａ及び４５６ｂのうち他方の側面部４５６ｂに形成され、吸気口４５２から吸入された空気を排出する。本実施形態では、吸気口４５２及び排気口４５３は、前面部４５４から背面部４５５に向かう前後方向（Ｙ方向）に延在する長方形状に形成される。
【００３５】
吸気口４５２から外部の空気が冷却風として吸入され、画像表示装置５００の内部に供給される。画像表示装置５００の内部を冷却して暖かくなった空気は、排気口４５３から外部に排出される。外部の空気が効率よく画像表示装置５００内を流れるように、吸気口４５２の近傍や排気口４５３の近傍にファン機構等が設けられてもよい。
【００３６】
センサ機構４７０は、輝度センサ４７１と、光源温度センサ４７２と、環境温度センサ４７３とを有する。
【００３７】
輝度センサ４７１は、光源部１００の近傍に配置され、出射光の状態として、出射光の強度（輝度）を検出することが可能である。輝度センサ４７１の具体的な構成は限定されず、任意の構成が採用されてよい。もちろん、複数のセンサにより構成されたアレイセンサや、ＣＭＯＳセンサやＣＣＤセンサ等のイメージセンサが用いられてもよい。
【００３８】
なお光の状態を検出するとは、検出対象となる光の状態を検出可能な任意の方法を含む。例えば検出対象となる光に含まれる一部の光の状態を検出する方法や、検出対象となる光の漏れ光や回折光等の状態を検出する方法等も含まれる。
【００３９】
光源温度センサ４７２は、光源部１００内に配置され、光源部１００の温度を検出することが可能である。環境温度センサ４７３は、吸気口４５２の近傍に配置され、外部の温度を検出することが可能である。本実施形態では、環境温度センサ４７３により、吸気口４５２から吸入される外部の空気の温度が、外部の温度として検出される。
【００４０】
光源温度センサ４７２及び環境温度センサ４７３の具体的な構成は限定されず、任意の構成が採用されてよい。本実施形態において、輝度センサ４７１、光源温度センサ４７２、及び環境温度センサ４７３は、第１のセンサ部、第２のセンサ部、及び第３のセンサ部としてそれぞれ機能する。
【００４１】
また画像表示装置５００は、画像表示装置５００の動作を包括的に制御するコントローラ（制御部）４９０を有する（図２参照）。コントローラ４９０は、例えばＣＰＵやメモリ（ＲＡＭ、ＲＯＭ）等のコンピュータに必要なハードウェア構成を有する。ＣＰＵがメモリ等に記憶されている制御プログラム等をＲＡＭにロードして実行することにより、種々の処理が実行される。
【００４２】
コントローラ４９０として、例えばＦＰＧＡ（Field Programmable Gate Array）等のＰＬＤ(Programmable Logic Device)、その他ＡＳＩＣ（Application Specific IntegratedCircuit）等のデバイスが用いられてもよい。またコントローラ４９０が配置される箇所等も限定されず、適宜設計されてよい。
【００４３】
本実施形態では、コントローラ４９０のＣＰＵが所定のプログラムを実行することにより、光源制御部４９１が実現される（図２参照）。光源制御部４９１を実現するために、ＩＣ（集積回路）等の専用のハードウェアが適宜用いられてもよい。また本実施形態では、コントローラ４９０のメモリ等により記憶部が実現される。もちろんコントローラ４９０とは別に、ＲＯＭやＨＤＤ等により記憶部が構成されてもよい。
【００４４】
図２は、画像生成部２００及び投射部４００の構成例を示す概略図である。図２に示すように、外枠部４５１の背面部４５５から前面部４５４にかけて光源部１００、画像生成部２００、及び投射部４００が配置される。投射部４００は、その出射面４０１が前面部４５４から外部側に突出するように配置される。
【００４５】
本実施形態では、光源部１００により、出射光として、赤色光、緑色光、及び青色光を含む白色光Ｗが出射される。そして画像生成部２００により、光源部１００から出射された白色光Ｗに基づいて画像が生成される。
【００４６】
画像生成部２００は、インテグレータ光学系２１０と、照明光学系２２０とを有する。インテグレータ光学系２１０は、インテグレータ素子２１１と、偏光変換素子２１２と、集光レンズ２１３とを有する。
【００４７】
インテグレータ素子２１１は、二次元に配列された複数のマイクロレンズを有する第１のフライアイレンズ２１１ａと、その複数のマイクロレンズに一つずつ対応するように配列された複数のマイクロレンズを有する第２のフライアイレンズ２１１ｂとを有する。
【００４８】
インテグレータ素子２１１に入射した白色光Ｗは、第１のフライアイレンズ２１１ａのマイクロレンズによって複数の光束に分割され、第２のフライアイレンズ２１１ｂに設けられた対応するマイクロレンズにそれぞれ結像される。第２のフライアイレンズ２１１ｂのマイクロレンズのそれぞれが二次光源として機能し、輝度がった複数の平行光を、後段の偏光変換素子２１２に出射する。
【００４９】
偏光変換素子２１２は、インテグレータ素子２１１を介して入射する入射光の偏光状態を揃える機能を有する。偏光変換素子２１２を通った光は、集光レンズ２１３を介して照明光学系２２０に出射される。
【００５０】
インテグレータ光学系２１０は、全体として、照明光学系２２０へ向かう白色光Ｗを均一な輝度分布に整え、偏光状態の揃った光に調整する機能を有する。インテグレータ光学系２１０の具体的な構成は限定されない。
【００５１】
照明光学系２２０は、ダイクロイックミラー２３０、２４０、２５０、２６０及び２７０、フィールドレンズ２８０Ｒ、２８０Ｇ及び２８０Ｂ、リレーレンズ２９０及び３００、画像生成素子としての液晶ライトバルブ３１０Ｒ、３１０Ｇ及び３１０Ｂ、ダイクロイックプリズム３２０を含んでいる。
【００５２】
ダイクロイックミラー２３０〜２７０は、所定の波長域の色光を選択的に反射し、それ以外の波長域の光を透過させる性質を有する。ダイクロイックミラー２３０は、白色光Ｗに含まれる緑色光Ｇ１及び青色光Ｂ１を選択的に反射し、白色光Ｗに含まれる赤色光Ｒ１を透過させる。
【００５３】
ダイクロイックミラー２４０は、ダイクロイックミラー２３０により反射された緑色光Ｇ１を選択的に反射し、青色光Ｂ１を透過させる。これにより異なる色光は、それぞれ異なる光路に分離される。なおＲＧＢの各色光を分離するための構成や、用いられるデバイス等は限定されない。
【００５４】
分離された赤色光Ｒ１は、ダイクロイックミラー２５０により反射され、フィールドレンズ２８０Ｒにより平行化された後、赤色光の変調用の液晶ライトバルブ３１０Ｒに入射する。緑色光Ｇ１は、フィールドレンズ２８０Ｇにより平行化された後、緑色光の変調用の液晶ライトバルブ３１０Ｇに入射する。
【００５５】
青色光Ｂ１はリレーレンズ２９０を通ってダイクロイックミラー２６０によって反射され、さらにリレーレンズ３００を通ってダイクロイックミラー２７０によって反射される。ダイクロイックミラー２７０により反射された青色光Ｂ１は、フィールドレンズ２８０Ｂにより平行化された後、青色光の変調用の液晶ライトバルブ３１０Ｂに入射する。
【００５６】
液晶ライトバルブ３１０Ｒ、３１０Ｇ及び３１０Ｂは、画像情報を含んだ画像信号を供給する図示しない信号源（例えばＰＣ等）と電気的に接続されている。液晶ライトバルブ３１０Ｒ、３１０Ｇ及び３１０Ｂは、供給される各色の画像信号に基づき、入射光を画素毎に変調し、それぞれ赤色画像、緑色画像及び青色画像を生成する。変調された各色の光（形成された画像）は、ダイクロイックプリズム３２０に入射して合成される。ダイクロイックプリズム３２０は、３つの方向から入射した各色の光を重ね合わせて合成し、投射部４００に向けて出射する。
【００５７】
投射部４００は、画像生成部２００により生成された画像を投射する。投射部４００は、複数のレンズ４１０等を有し、ダイクロイックプリズム３２０によって合成された光を図示しないスクリーン等に投射する。これによりフルカラーの画像が表示される。投射部４００の具体的な構成は限定されない。
【００５８】
図３は、光源部１００の構成例を示す斜視図である。図４は、光源部１００の内部の構成例を模式的に示す図である。光源部１００は、光源ユニット１０と、光学系ユニット２０と、蛍光体ユニット３０と、これらを支持するベース部５０とを有する。
【００５９】
白色光Ｗが出射される側を前方側とし、その反対側を後方側とする。光源ユニット１０、光学系ユニット２０、及び蛍光体ユニット３０は、後方側から前方側にかけて、この順で並ぶようにベース部５０に支持される。なお図４では、ベース部５０の図示は省略されている。
【００６０】
ベース部５０は、左右方向（Ｘ方向）に延在する細長い形状を有する。ベース部５０には、光源ユニット１０、光学系ユニット２０、及び蛍光体ユニット３０を支持するための支持機構が構成される。支持機構の具体的な構成は限定されず、任意に設計されてよい。
【００６１】
図５は、光源ユニット１０の構成例を示す斜視図である。図４及び図５に示すように、光源ユニット１０は、Ｘ方向に並ぶ２つの光源ブロック１１と、その後方側に配置されたヒートシンク１２とを有し、これらが１つのユニットとして構成されている。
【００６２】
各光源ブロック１１は、電流が供給されることにより駆動する複数のレーザ光源（レーザダイオード）１３を有する。複数のレーザ光源１３は、前後方向を光軸方向として、前方側に向けてレーザ光が出射されるように配置される。
【００６３】
本実施形態では、複数のレーザ光源１３として、例えば４００ｎｍ−５００ｎｍの波長範囲内に発光強度のピーク波長を有する青色レーザ光Ｂ２を発振可能な青色レーザ光源が用いられる。本実施形態において、複数のレーザ光源１３は、１以上の光源に相当する。
【００６４】
１以上の光源として、ＬＥＤ等の他の固体光源が用いられてもよい。また水銀ランプ、キセノンランプ等が用いられる場合でも、本技術は適用可能である。また出射される光の波長域も限定されず、任意に設定されてよい。
【００６５】
なお図５では、光源温度センサ４７２の位置を説明するために、各光源ブロック１１において、１つのレーザ光源１３の図示が省略されている。図中左側の光源ブロック１１では、右端の列の上から４個目のレーザ光源１３の図示が省略されている。図中右側の光源ブロック１１では、左端の列の上から４個目のレーザ光源１３の図示が省略されている。当然のことながら、この位置にも、レーザ光源１３が配置される。
【００６６】
図４に示すように、光学系ユニット２０は、密閉空間Ｓ１を形成する筐体部２１と、密閉空間Ｓ１内に収容される集光光学系２２とを有する。筐体部２１の後方側の面の、光源ブロック１１に対向する位置には、青色レーザ光Ｂ２が入射する２つの入射口２３が形成される。筐体部２１の前方側の面には、集光光学系２２により集光された青色レーザ光Ｂ２が出射される出射口２４が形成される。
【００６７】
２つの入射口２３、及び出射口２４は、ガラスやプラスチック等からなる任意の透明部材により密閉されている。なお入射口２３、及び出射口２４が開口しており、光源ユニット１０及び蛍光体ユニット３０と接続されることで、密閉空間Ｓ１が実現されてもよい。
【００６８】
集光光学系２２は、２つの非球面ミラー２５（図中では板状に図示されている）と、２つの平面ミラー２６とを有する。非球面ミラー２５は、前後方向に沿って入射口２３に入射する青色レーザ光Ｂ２を折り返すように反射して集光する。平面ミラー２６は、非球面ミラー２５により反射された光を、出射口２４に向けて反射する。集光光学系２２の構成は限定されず、任意の構成が採用されてよい。
【００６９】
蛍光体ユニット３０は、密閉空間Ｓ２を形成する筐体部３１と、密閉空間Ｓ２内に収容されるホイール部３３と、出射レンズ３４とを有する。筐体部３１の後方側の面には、光学系ユニット２０の出射口２４から出射された青色レーザ光Ｂ２が入射する入射口３５が形成される。筐体部３１の前方側の面には、白色光Ｗが出射される出射口３６が形成される。出射口３６は、出射レンズ３４により密閉されている。
【００７０】
また筐体部３１の前方側の面には、窓部３７が形成されている。入射口３５、及び窓部３７は、ガラスやプラスチック等からなる透明部材により密閉されている。本実施形態において、筐体部３１は、窓部を有し内部に密閉された空間を形成する密閉部として機能する。なお入射口３５が開口しており、光学系ユニット２０と接続されることで、密閉空間Ｓ２が実現されてもよい。この場合、筐体部３１及び２１により、密閉部が実現される。
【００７１】
ホイール部３３は、蛍光体ホイール３８と、モータ３９とを有する。蛍光体ホイール３８は、入射口３５に入射する青色レーザ光Ｂ２が所定のポイントに集光する位置に配置される。モータ３９は、フレキシブル基板等を介して供給される電力により駆動し、蛍光体ホイール３８を回転させる。
【００７２】
図６は、蛍光体ユニット３０による白色光Ｗの生成を説明するための図である。蛍光体ホイール３８は、青色レーザ光Ｂ２を透過させる円盤形状の基板４１と、その基板４１上に設けられた蛍光体層４２とを有する。基板４１としては、例えば水晶やサファイア等の結晶性部材が用いられる。
【００７３】
蛍光体層４２は、複数のレーザ光源１３により出射される青色レーザ光Ｂ２によって励起されて可視光を発する蛍光物質を含んでいる。本実施形態では、蛍光体層４２により、青色レーザ光Ｂ２の一部が、赤色波長域から緑色波長域までを含む波長域の光（すなわち黄色光）に変換される。また蛍光体層４２は、青色レーザ光Ｂ２の一部をそのまま透過させる。従って蛍光体層４２からは、青色の励起光と黄色の蛍光とを含む光が出射される。
【００７４】
蛍光体層４２に含まれる蛍光物質としては、例えばＹＡＧ（イットリウム・アルミニウム・ガーネット）系蛍光体が用いられる。なお、蛍光物質の種類、励起光の波長域、及び励起により発生される可視光の波長域は限定されない。
【００７５】
本実施形態において、蛍光体層４２は、複数のレーザ光源１３から出射される青色レーザ光Ｂ２により励起されて可視光を発する発光体に相当する。発光体として、蛍光体とは異なる他の任意の物質が用いられてもよい。
【００７６】
モータ３９は、基板４１の中心に接続される。モータ３９が駆動することで、蛍光体ホイール３８が、回転軸Ｍを中心として回転する。
【００７７】
モータ３９により基板４１が回転されている状態で、光源ユニット１０から青色レーザ光Ｂ２が出射される。青色レーザ光Ｂ２は、光学系ユニット２０により集光され、入射口３５を介して蛍光体層４２に照射される。青色レーザ光Ｂ２は、基板４１の回転に合わせて、相対的に円を描くように蛍光体層４２に照射される。
【００７８】
これにより図６に示すように、蛍光体層４２を透過した青色レーザ光Ｂ３と、蛍光体層４２からの可視光である緑色光Ｇ３及び赤色光Ｒ３とを含む白色光Ｗが出射される。白色光Ｗは、出射レンズ３４（出射口３６）を介して、図３及び図４に示す光軸Ｌに沿って出射される。本実施形態において、白色光Ｗは、複数のレーザ光源１３からの光と蛍光体層４２からの可視光とを含む光に相当する。
【００７９】
なお各ユニットのベース部５０への接続するための構成や方法、各ユニット同士を接続するための構成や方法は限定されず、嵌合、接着、ネジ／ビス留め等、任意の構成及び方法が採用されてよい。
【００８０】
［センサ機構］
図３、図４、及び図６に示すように、輝度センサ４７１は、蛍光体ユニット３０の筐体部３１に形成された窓部３７に対向する位置に配置される。そして窓部３７から出射される漏れ光Ｗ'の強度が検出される。漏れ光Ｗ'は、青色レーザ光Ｂ３、緑色光Ｇ３及び赤色光Ｒ３を含む、白色光Ｗの漏れ光である。すなわち本実施形態では、輝度センサ４７１により、検出対象である白色光Ｗの漏れ光Ｗ'の強度が検出される。輝度センサ４７１により検出される白色光Ｗの漏れ光Ｗ'の強度は、第１の検出結果に相当する。
【００８１】
なお輝度センサ４７１が配置される位置は限定されず、白色光Ｗの強度を検出可能な任意の位置に輝度センサ４７１を配置することが可能である。例えば画像生成部２００内のダイクロイックミラー２５０や２７０の背面側（反射面とは反対側の面）に輝度センサ４７１が配置されてもよい。そして白色光Ｗに含まれる赤色光Ｒ１や青色光Ｂ１の強度が検出されてもよい。またインテグレータ光学系２１０の近傍に輝度センサ４７１が配置され、偏光変換素子２１２から出射される白色光Ｗの漏れ光等の強度が検出されてもよい。
【００８２】
図５に示すように、光源温度センサ４７２は、２つの光源ブロック１１に、１つずつ配置される。本実施形態では、各光源ブロック１１の１つのレーザ光源１３の背面側に、光源温度センサ４７２が配置される。
【００８３】
図中左側の光源ブロック１１では、右端の列の上から４個目のレーザ光源１３の背面側に、光源温度センサ４７２が配置される。図中右側の光源ブロック１１では、左端の列の上から４個目のレーザ光源１３の背面側に、光源温度センサ４７２が配置される。例えばレーザ光源１３を実装する実装基板の裏側の面に、光源温度センサ４７２を、それを駆動させる回路とともに実装することが可能である。
【００８４】
本実施形態では、光源温度センサ４７２により、光源部１００の温度として、複数のレーザ光源１３の温度が検出される。なお光源温度センサ４７２を配置する位置は限定されず、任意に設計されてよい。例えば密閉空間Ｓ１やＳ２内に光源温度センサ４７２が配置され、密閉空間Ｓ１やＳ２内の温度が、光源部１００の温度として検出されてもよい。光源温度センサ４７２により検出される光源温度は、第２の検出結果に相当する。
【００８５】
図１に示すように、環境温度センサ４７３は、吸気口４５２の近傍に配置される。画像表示装置５００の内部には、外部の空気の外部の空気の流路を適正に形成するための冷却構造が構成されている。例えば冷却構造は、ダクト等の空気を誘導するための任意の部材を用いることで実現される。また各機構の位置や、各機構に空気を通す開口や孔等を形成すること等により、任意の冷却構造を実現することが可能である。
【００８６】
環境温度センサ４７３は、吸気口４５２の近傍の、冷却構造により形成された外部の空気の流路上に配置される。これにより外部の温度を高い精度で検出することが可能である。もちろん環境温度センサ４７３が配置される位置は限定されず、外部の温度を検出可能な任意の位置が選択されてよい。例えば筐体部４５０の外側に環境温度センサ４７３が配置され、外部の温度が検出されてもよい。環境温度センサ４７３により検出される外部温度は、第３の検出結果に相当する。
【００８７】
［光源部の制御］
図７は、光源制御部４９１による光源部１００の制御の概要を説明するための模式的なグラフである。図７Ａに示すように、複数のレーザ光源１３に供給される光源電流を一定に維持する。そうすると、レーザ光源１３の経年劣化により、光源輝度が低下するとともに、光源温度が上昇する。例えば光源輝度の低下分、及び光源温度の上昇分を、光源劣化分と見做すことが可能である。
【００８８】
そこで本実施形態では、図７Ｂに示すように、光源電流を増加させることで、光源輝度を一定に維持させる。そうすると図７Ｃに示すように、光源劣化分に加えて電流増加に応じた光源温度の上昇が発生する。光源温度が定格温度の上限（図中では定格温度と記載）を超えてしまうと、急激な輝度低下や素子の破壊等を招く恐れがある。
【００８９】
本実施形態では、以下に説明するように、光源制御部４９１により、輝度センサ４７１による第１の検出結果である白色光Ｗの漏れ光Ｗ'の強度（以下、単に光源輝度と記載する）、及び光源温度センサ４７２による第２の検出結果である光源温度に基づいて、光源部１００が制御される。すなわち光源輝度及び光源温度に基づいて、複数のレーザ光源１３に供給されるＬＤ電流値が制御される。
【００９０】
これにより光源温度を監視しつつ光源電流を制御することが可能となるので、光源温度が定格温度の上限を超えてしまうことを防止することが可能となり、レーザ光源１３の早期劣化や破壊を防止することが可能となる。なお定格温度の上限は、本実施形態において、動作保証温度の上限の一例である。定格温度とは異なる温度が、動作保証温度の上限として設定されてもよい。
【００９１】
また図７に示すグラフは、模式的なグラフである。例えば光源の素子劣化を原因とする光源輝度の低下や光源温度の上昇等は、１次関数的な挙動を示す場合に限定されない。例えば光源の特性や温度等に応じて、様々な態様で輝度低下や温度上昇が発生し得る。
【００９２】
図８は、温度監視制御の一例を示すフローチャートである。光源温度センサ４７２により検出される光源温度が取得される（ステップ１０１）。光源温度が所定の基準温度よりも高いか否かが判定される（ステップ１０２）。
【００９３】
光源温度が基準温度よりも低い場合（ステップ１０２のＮｏ）、輝度一定制御が実行される（ステップ１０３）。光源温度が基準温度よりも高い場合（ステップ１０２のＹｅｓ）、温度抑制制御が実行される（ステップ１０４）。
【００９４】
図９は、輝度一定制御の一例を示すフローチャートである。輝度一定制御とは、光源部１００から出射される白色光Ｗの強度が一定に維持されるように、光源部１００を制御することである。まず輝度調整時の輝度／温度／ＬＤ電流値の初期値がコントローラ４９０のメモリ等に保存される（ステップ２０１）。
【００９５】
なお本開示において、「一定」とは、「実質的に一定」を含む概念とする。すなわち「一定」とは、完全に一定な状態に限定されず、実質的に一定な状態（例えば変化の割合が±１０％の範囲に含まれる状態等）も含まれる。
【００９６】
例えば画像表示装置５００の工場出荷時等に、輝度調整が実行される。例えば目標となる輝度にて画像が表示されるように、ＬＤ電流値が制御される。目標となる輝度にて画像が表示されている場合に、輝度センサ４７１及び光源温度センサ４７２により検出される光源輝度及び光源温度が初期値としてメモリ等に保存される。またその時のＬＤ電流値も初期値として保存される。
【００９７】
またはユーザにより輝度調整が実行されてもよい。例えば輝度調整モードが選択され、ボタン操作等により画像の輝度が制御される。所望の輝度の画像が表示されている状態で、調整完了の旨の操作が入力される。その際に検出される光源輝度、光源温度、及びＬＤ電流値が、初期値としてメモリ等に保存される。
【００９８】
あるいは輝度調整等が実行されず、予め定められた輝度値、温度、及び電流値が、光源輝度、光源温度、及びＬＤ電流値の初期値として、メモリ等に保存されていてもよい。
【００９９】
輝度センサ４７１により検出される光源輝度が取得される（ステップ２０２）。取得された光源輝度が、メモリ等に保存されている初期値と比較される（ステップ２０３）。
【０１００】
初期値と検出値との間に一定以上のズレがある場合には、ＬＤ電流値が調整される（ステップ２０４）。例えば初期値に比べて検出値が低い場合には、ＬＤ電流値が増加される。これにより複数のレーザ光源１３から出射される青色レーザ光Ｂ２の強度が増加され、光源部１００から出射される白色光Ｗの輝度が増加する。
【０１０１】
初期値に比べて検出値が高い場合には、ＬＤ電流値が減少される。これにより複数のレーザ光源１３から出射される青色レーザ光Ｂ２の強度が減少され、光源部１００から出射される白色光Ｗの輝度が減少する。ＬＤ電流値の制御が完了すると、ステップ２０２に戻る。
【０１０２】
初期値と検出値との間に一定以上のズレがない場合には、ＬＤ電流値は調整されず、ステップ２０２に戻る。ステップ２０２、２０３及び２０４のループを、所定の間隔で繰り返すことにより、輝度一定制御が実現される。
【０１０３】
一定以上のズレを規定するための具体的な閾値等は限定されず、任意に設定されてよい。またズレに対するＬＤ電流値の増減量（増減率）も限定されず、任意に設定されてよい。典型的には、例えば１回のループで調整されるＬＤ電流値の増減量が固定されていてもよい。あるいはズレの大きさに応じて、ループごとに増減量が適宜制御されてもよい。
【０１０４】
図７のステップ１０４に示す温度抑制制御は、光源部１００の温度の上昇が抑制されるように、光源部１００を制御することである。温度抑制制御の具体的な方法は限定されず、光源部１００の温度の上昇を抑制可能な任意の方法が採用されてよい。
【０１０５】
例えば、複数のレーザ光源１３に供給されるＬＤ電流値を増加させるための増加率（増加量）を制御することで、光源温度の上昇を抑制することが可能である。例えば増加率をゼロに設定しＬＤ電流値の増加を禁止することで、光源温度の上昇を抑制することが可能である。
【０１０６】
またＬＤ電流値を減少させるための減少率を制御することでも、光源温度の上昇を抑制することが可能である。例えば減少率を高く設定し、ＬＤ電流値を大きく低下させることで、光源温度の上昇を抑制することが可能である。もちろんＬＤ電流値の供給を停止することでも、光源温度の上昇を抑制することが可能である。
【０１０７】
図１０は、温度監視付き輝度一定制御の一例を示す図である。温度監視付き輝度一定制御は、光源温度が定格温度の上限を超えないように監視しつつ、白色光Ｗの輝度を一定に維持する制御である。
【０１０８】
本実施形態では、光源輝度が基準温度を超えない場合は、通常の輝度一定制御が実行される。光源輝度が基準温度を超える場合は、光源部１００の温度の上昇を抑制しつつ、光源部１００から出射される白色光Ｗの強度が一定に維持されるように、光源部１００が制御される。なおこの制御は、温度抑制制御に含まれる。
【０１０９】
まず輝度調整時の輝度／温度／ＬＤ電流値の初期値がコントローラ４９０のメモリ等に保存される（ステップ３０１）。輝度センサ４７１により検出される光源輝度が取得される（ステップ３０２）。取得された光源輝度が、メモリ等に保存されている初期値と比較される（ステップ３０３）。
【０１１０】
初期値と検出値との間に一定以上のズレがない場合には、現在のＬＤ電流値が目標電流値に設定される（ステップ３０４）。目標電流値は、ＬＤ電流値を変更する場合に目標となる電流値である。従ってステップ３０４は、現状のＬＤ電流値を維持することに相当する。
【０１１１】
初期値と検出値との間に一定以上のズレがある場合には、現在のＬＤ電流値を補正した値が、目標電流値に設定される（ステップ３０５）。例えば初期値に比べて検出値が低い場合には、現在のＬＤ電流値に所定の補正分ΔＩを加えた値が、目標電流値に設定される。初期値に比べて検出値が高い場合には、現在のＬＤ電流値から所定の補正分ΔＩを引いた値が、目標電流値に設定される。
【０１１２】
補正分ΔＩの具体的な値は限定されず、任意に設定されてよい。また増加させるための補正分ΔＩ、及び減少させるための補正分ΔＩは、互いに同じ値でもよいし異なる値でもよい。
【０１１３】
光源温度センサ４７２により検出される光源温度が取得される（ステップ３０６）。光源温度が所定の基準温度よりも高いか否かが判定される（ステップ３０７）。
【０１１４】
光源温度が基準温度よりも低い場合（ステップ３０７のＮｏ）、ステップ３０４又は３０５にて設定された目標電流値となるように、レーザ光源１３に供給されるＬＤ電流値が制御される（ステップ３０８）。これにより通常の輝度一定制御が実行される。
【０１１５】
光源温度が基準温度よりも高い場合（ステップ３０２のＹｅｓ）、ステップ３０４又は３０５にて設定された目標電流値が補正される。そして補正された目標電流値となるように、レーザ光源１３に供給されるＬＤ電流値が制御される（ステップ３０９）。目標電流値の補正は、光源部１００の温度の上昇を抑制しつつ、光源部１００から出射される白色光Ｗの強度が一定に維持されるように実行される。
【０１１６】
図１１は、目標電流値の補正の一例を説明するための模式的な図である。本実施形態では、光源温度に対して、「TL_SaturationLow」「TL_SaturationCenter」「TL_SaturationUp」「TL_MaxLimit」の４つの閾値が設定される。
【０１１７】
「TL_SaturationLow」は、図８〜図１０を参照して説明した所定の基準温度に相当する。「TL_SaturationCenter」は、所定の基準温度よりも高い第１の温度に相当する。「TL_SaturationUp」は、第１の温度よりも高い第２の温度に相当する。「TL_MaxLimit」は、第２の温度よりも高い第３の温度に相当する。
【０１１８】
「TL_SaturationLow」「TL_SaturationCenter」「TL_SaturationUp」「TL_MaxLimit」をどの温度に設定するかは限定されない。例えば４つの閾値は、定格温度の上限（動作保証温度の上限）を基準に、定格温度の上限（動作保証温度の上限）よりも低い値にそれぞぞれ設定される。
【０１１９】
例えば以下のような設定の方法が挙げられる。
定格温度×９５％＝「TL_MaxLimit」
定格温度×９０％＝「TL_SaturationUp」
定格温度×８５％＝「TL_SaturationCenter」
定格温度×８０％＝「TL_SaturationLow」
その他、任意の設定方法が採用されてよい。
【０１２０】
光源温度が「TL_SaturationLow」よりも低い場合は、ステップ３０７にてＮｏとなり、通常の輝度一定制御が実行される。ここで、通常の輝度一定制御において、初期値に比べて光源輝度が低い場合にＬＤ電流値を増加させるために設定される増加率を、第１の増加率とする。本実施形態では、ループごとに現在のＬＤ電流値に所定の補正分ΔＩを加えることにより算出される増加率が、第１の増加率となる。
【０１２１】
なお増加率は、所定の時間におけるＬＤ電流値の増加率と定義する。すなわち所定の時間の間にＬＤ電流値がどのくらい増加したかにより、増加率は定義される。
【０１２２】
例えば本実施形態のように、ループを繰り返してＬＤ電流値を制御する場合には、例えば２以上の所定の回数のループが経過する間におけるＬＤ電流値の増加率と定義することが可能である。本実施形態においては、増加率を、例えば２以上の所定の回数のループにて連続して初期値に比べて光源輝度が低くなった場合のＬＤ電流値の増加率と定義することも可能である。
【０１２３】
例えばループにより段階的にＬＤ電流値を制御するのではなく、連続してＬＤ電流値を制御する場合にも、所定の時間を適宜設定して、増加率を定義することが可能である。
【０１２４】
光源温度が「TL_SaturationLow」から「TL_SaturationCenter」までの範囲に含まれる場合には、ＬＤ電流値を増加させるための増加率として、第１の増加率よりも低い第２の増加率が設定される。すなわちループごとに現在のＬＤ電流値に所定の補正分ΔＩを加えることにより算出される第１の増加率よりも低い増加率となるように、目標温度が適宜補正される。
【０１２５】
ＬＤ電流値の増加率を低くする方法、例えば２以上の所定の回数のループにて連続して初期値に比べて光源輝度が低くなった場合の、ＬＤ電流値の増加率を低くする方法としては、以下のような方法が挙げられる。
【０１２６】
例えば通常の輝度一定制御にて加えられる補正分ΔＩよりも小さい値を現在のＬＤ電流値に加え、あらためて目標電流値とする方法が挙げられる。すなわちループごとに補正分ΔＩよりも小さい値を、現在のＬＤ電流値に加える方法である。
【０１２７】
また複数のループごとに１回だけ補正分ΔＩを現在のＬＤ電流値に加え目標電流値として、他のループでは現在のＬＤ電流値を目標電流値とする方法が挙げられる。このように現在のＬＤ電流値に対して、増加させる分の値を小さくする方法や、増加させる回数を少なくする方法等が挙げられる。もちろん、これらの方法が組み合わされてもよく、増加勾配を緩やかにするような他の任意の方法が採用されてよい。
【０１２８】
本実施形態では、光源温度が「TL_SaturationLow」から「TL_SaturationCenter」までの範囲に含まれた場合には、まず現在のＬＤ電流値が目標電流値に設定され、レーザ光源１３に供給される。従って初期値に比べて光源輝度が低くなっていても、まずはＬＤ電流値を維持した状態にし、輝度の向上は基本的には禁止とする。
【０１２９】
ただし、５回連続して、光源温度が「TL_SaturationLow」から「TL_SaturationCenter」までの範囲に含まれる場合には、その際にステップ３０５にて設定された目標電流値をそのまま採用して、レーザ光源１３に電流を供給する。すなわち５回に１回は、輝度を向上させる。これにより温度を監視しつつ輝度の維持を図ることが可能となる。もちろん５回に限定されず、他の回数が採用されてもよい。
【０１３０】
なお、初期値に比べて光源輝度が高くなっている場合は、通常の輝度一定制御と同様に、現在のＬＤ電流値から所定の補正分ΔＩを引いた値が、目標電流値に設定される。そして目標電流値となるように、ＬＤ電流値が制御される。これにより輝度の維持を図ることが可能となる。
【０１３１】
光源温度が「TL_SaturationCenter」から「TL_SaturationUp」までの範囲に含まれる場合には、複数のレーザ光源１３に供給されるＬＤ電流値の増加が禁止される。本実施形態では、現在のＬＤ電流値が目標電流値に設定され、レーザ光源１３に供給される。
【０１３２】
そのまま３回連続して、光源温度が「TL_SaturationCenter」から「TL_SaturationUp」までの範囲に含まれるとする。その場合には、現在のＬＤ電流値から所定の補正分ΔＩを引いた値が、目標電流値に設定される。この所定の補正分ΔＩは、ステップ３０５にて、初期値に比べて光源輝度が高い場合に用いられる補正分ΔＩと同様であってもよいし、異なっていてもよい。
【０１３３】
このように本実施形態では、「TL_SaturationCenter」から「TL_SaturationUp」までの範囲に含まれる場合には、ＬＤ電流値を落とさず様子を見て温度が下がらない場合には、３回に１回ＬＤ電流値が下げられる。これにより温度を監視しつつ輝度の一定を図ることが可能となる。もちろん３回に限定されず、他の回数が採用されてもよい。
【０１３４】
ここで、ＬＤ電流値を落とさず様子を見て温度が下がらない場合には、３回に１回ＬＤ電流値を下げることにより算出されるＬＤ電流値の減少率を、第１の減少率とする。なお減少率は、所定の時間におけるＬＤ電流値の減少率と定義する。すなわち所定の時間の間にＬＤ電流値がどのくらい減少したかにより、減少率は定義される。
【０１３５】
例えば本実施形態のように、ループを繰り返してＬＤ電流値を制御する場合には、例えば２以上の所定の回数のループが経過する間におけるＬＤ電流値の減少率と定義することが可能である。例えばループにより段階的にＬＤ電流値を制御するのではなく、連続してＬＤ電流値を制御する場合にも、所定の時間を適宜設定して、減少率を定義することが可能である。
【０１３６】
光源温度が「TL_SaturationUp」から「TL_MaxLimit」までの範囲に含まれる場合には、第１の減少率よりも高い第２の減少率にて、ＬＤ電流値が減少される。減少率を高くする方法としては、例えば現在のＬＤ電流値に対して、減少させる分の値を大きくする方法や、減少させる回数を多くする方法等が挙げられる。
【０１３７】
本実施形態では、ループごとに、現在のＬＤ電流値から所定の補正分ΔＩを引いた値が目標電流値に設定され、レーザ光源１３に電流が供給される。すなわち毎ターン強制的にＬＤ電流値が減少される。所定の補正分ΔＩは、適宜設定されてよい。
【０１３８】
光源温度が「TL_MaxLimit」よりも高い場合には、複数のレーザ光源１３に供給されるＬＤ電流値が停止され、レーザ光源１３の駆動が停止される。すなわち「TL_MaxLimit」を超える場合には、レーザ光源１３は即止められる。
【０１３９】
このように本実施形態では、現在の光源温度が、４つの閾値で区分けされるどの温度帯に含まれるかにより、適宜目標温度の補正が実行される。光源温度が「TL_SaturationLow」よりも高くなる場合には、「TL_SaturationCenter」に温度が収束するように、輝度一定を図りながら、ＬＤ電流値が制御される。これにより光源温度を監視しつつ光源電流を制御することが可能となるので、光源温度が定格温度の上限を超えてしまうことを防止することが可能となり、レーザ光源１３の早期劣化や破壊を十分に防止することが可能である。
【０１４０】
以上、本実施形態に係る画像表示装置５００では、輝度センサ４７１及び光源温度センサ４７２により、白色光Ｗの輝度及び光源部１００の温度がそれぞれ検出される。これらの検出結果を利用することで、光源部１００を高精度に制御することが可能となる。
【０１４１】
本技術により、光源輝度と光源温度とのバランスを考慮した光源部１００の制御が可能となり、例えば許容される光源温度の範囲内で、光源輝度を高く維持することも可能となる。また画像表示装置５００の長寿命化が実現され、非常に高い品質を発揮することが可能となる。
【０１４２】
また光源劣化分及び電流増加分の光源温度上昇のみならず、環境温度（外部の温度）の上昇により光源温度が上昇する場合もあり得る。例えば夏場での使用と冬場での使用とでは、同様にＬＤ電流値を制御した場合でも、光源温度に差異が発生し得る。本技術では、光源温度を監視するので、環境温度の上昇や低下等にも対応することが可能であり、非常に高精度に光源部１００を制御することが可能となる。すなわち季節ごとに最適な光源部１００の制御を実現することが可能となる。
【０１４３】
なお光源輝度及び光源温度に基づいた目標電流値の生成や補正を実行するために、例えばＤＮＮ（Deep NeuralNetwork：深層ニューラルネットワーク）等を用いた任意の機械学習アルゴリズムが用いられてもよい。例えばディープラーニング（深層学習）を行うＡＩ（人工知能）等を用いることで、温度監視付き輝度一定制御の精度を向上させることが可能となる。
【０１４４】
また輝度センサ４７１により検出される光源輝度、光源温度センサ４７２により検出される光源温度、及び環境温度センサ４７３により検出される環境温度（外部の温度）に基づいて、光源部１００の状態に関する状態情報が生成されてもよい。
【０１４５】
例えば環境温度に対する光源温度の変動に基づいて、光源部１００の状態情報として、経年劣化の状態を推定することがが可能である。例えばメモリ等に保存された初期値のＬＤ電流値にてレーザ光源１３を駆動させる。その状態で光源温度と環境温度とを検出する。光源温度の初期値と現在の光源温度の差から、環境温度分を引くことで、図７Ａに例示するような光源劣化分の温度上昇分を検出することが可能となる。その温度上昇分に基づいて、経年劣化の状態を推定することが可能である。もちろん環境温度の初期値がメモリ等に保存され、適宜利用されてもよい。
【０１４６】
このように光源温度に基づいて経年劣化の状態を推定することで、例えばメンテナンスの情報、装置の使用状態に関する情報、使用環境に関する情報等を、ユーザに報知することが可能となる。
【０１４７】
また推定された経年劣化の状態に基づいて、光源部１００を制御することも可能である。例えば経年劣化の状態に応じて、図１０のステップ３０５で用いられる補正分ΔＩが適宜変更されてもよい。また経年劣化の状態に応じて、図１１を参照して説明した「TL_SaturationLow」「TL_SaturationCenter」「TL_SaturationUp」「TL_MaxLimit」や補正分ΔＩを適宜変更することも可能である。これにより経年劣化の状態に応じた、精度の高い光源部１００の制御が実現される。
【０１４８】
例えば図２に示す光源制御部４９１が生成部として機能し、光源部１００の状態に関する状態情報が生成されてもよい。あるいはントローラ４９０のＣＰＵが所定のプログラムを実行することにより、光源制御部４９１とは別に、光源部１００の状態に関する状態情報を生成する生成部が実現されてもよい。また光源部１００の状態として、経年劣化の状態とは異なる情報が生成されてもよい。
【０１４９】
光源部１００の状態情報の生成、及び状態情報に基づいた光源部１００の制御に、所定の機械学習アルゴリズムが用いられてもよい。
【０１５０】
＜その他の実施形態＞
本技術は、以上説明した実施形態に限定されず、他の種々の実施形態を実現することができる。
【０１５１】
上記では、出射光の状態として、出射光の強度（輝度）が検出された。これに限定されず、出射光の状態として、色度や光束の形状（光束の大きさ（断面積）を含む）等の他のパラメータが検出されてもよい。そして光源部の制御として、光源温度を監視しつつ、色度の制御や光束の制御等が実行されてもよい。当然のことながら、光源の状態として取得したいパラメータに対応するセンサ部（例えば色度センサ等）が用いられればよい。
【０１５２】
各図面を参照して説明した画像表示装置、光源部、画像生成部、投射部等の各構成、光源部の制御フロー等はあくまで一実施形態であり、本技術の趣旨を逸脱しない範囲で、任意に変形可能である。すなわち本技術を実施するための他の任意の構成やアルゴリズム等が採用されてよい。
【０１５３】
また、以上説明した本技術に係る特徴部分のうち、少なくとも２つの特徴部分を任意に組み合わせることも可能である。すなわち各実施形態で説明した種々の特徴部分は、各実施形態の区別なく、任意に組み合わされてもよい。また上記で記載した種々の効果は、あくまで例示であって限定されるものではなく、また他の効果が発揮されてもよい。
【０１５４】
なお、本技術は以下のような構成も採ることができる。
（１）出射光を出射可能な光源部と、
前記出射光の状態を検出可能な第１のセンサ部と、
前記光源部の温度を検出可能な第２のセンサ部と、
前記第１のセンサ部による第１の検出結果、及び前記第２のセンサ部による第２の検出結果に基づいて、前記光源部を制御可能な光源制御部と
を具備する画像表示装置。
（２）（１）に記載の画像表示装置であって、
前記光源制御部は、前記第２の検出結果が所定の基準温度よりも低い場合に、前記光源部から出射される前記出射光の強度が一定に維持されるように、前記光源部を制御する
画像表示装置。
（３）（２）に記載の画像表示装置であって、
前記光源制御部は、前記第２の検出結果が所定の基準温度よりも高い場合に、前記光源部の温度の上昇が抑制されるように、前記光源部を制御する
画像表示装置。
（４）（２）又は（３）に記載の画像表示装置であって、
前記光源制御部は、前記第２の検出結果が所定の基準温度よりも高い場合に、前記光源部の温度の上昇を抑制しつつ、前記光源部から出射される前記出射光の強度が一定に維持されるように、前記光源部を制御する
画像表示装置。
（５）（１）から（４）のうちいずれか１つに記載の画像表示装置であって、
前記光源部は、電流が供給されることにより駆動する１以上の光源を有し、
前記第２のセンサ部は、前記１以上の光源の温度を前記光源部の温度として検出し、
前記光源制御部は、前記１以上の光源に供給される電流を制御する
画像表示装置。
（６）（５）に記載の画像表示装置であって、
前記光源制御部は、前記第２の検出結果が所定の基準温度よりも高い場合に、前記１以上の光源に供給される電流を増加させるための増加率を制御する
画像表示装置。
（７）（６）に記載の画像表示装置であって、
前記光源制御部は、前記第２の検出結果が前記所定の基準温度よりも高い第１の温度よりも高い場合に、前記１以上の光源に供給される電流の増加を禁止する
画像表示装置。
（８）（７）に記載の画像表示装置であって、
前記光源制御部は、前記第２の検出結果が所定の基準温度よりも低い場合に、前記１以上の光源に供給される電流を増加させるための増加率として、第１の増加率を設定する
画像表示装置。
（９）（８）に記載の画像表示装置であって、
前記光源制御部は、前記第２の検出結果が所定の基準温度から前記第１の温度までの範囲に含まれる場合に、前記１以上の光源に供給される電流を増加させるための増加率として、前記第１の増加率よりも低い第２の増加率を設定する
画像表示装置。
（１０）（７）から（９）のうちいずれか１つに記載の画像表示装置であって、
前記光源制御部は、前記第２の検出結果が前記第１の温度から前記第１の温度よりも高い第２の温度までの範囲に含まれる場合に、第１の減少率により前記１以上の光源に供給される電流を減少させる
画像表示装置。
（１１）（１０）に記載の画像表示装置であって、
前記光源制御部は、前記第２の検出結果が前記第２の温度から前記第２の温度よりも高い第３の温度までの範囲に含まれる場合に、前記第１の減少率よりも高い第２の減少率により前記１以上の光源に供給される電流を減少させる
画像表示装置。
（１２）（１１）に記載の画像表示装置であって、
前記光源制御部は、前記第２の検出結果が前記第３の温度よりも高い場合に、前記１以上の光源への電流の供給を停止する
画像表示装置。
（１３）（１）から（１２）のうちいずれか１つに記載の画像表示装置であって、
前記所定の基準温度は、前記光源部の動作保証温度の上限を基準に、前記動作保証温度の上限よりも低い温度に設定される
画像表示装置。
（１４）（１２）に記載の画像表示装置であって、
前記第１の温度、前記第２の温度、及び前記第３の温度の各々は、前記光源部の動作保証温度の上限を基準に、前記動作保証温度の上限よりも低い温度に設定される
画像表示装置。
（１５）（１）から（１４）のうちいずれか１つに記載の画像表示装置であって、さらに、
外部の温度を検出可能な第３のセンサ部と、
前記第１のセンサ部による第１の検出結果、前記第２のセンサ部による第２の検出結果、及び前記第３のセンサ部による第３の検出結果に基づいて、前記光源部の状態に関する状態情報を生成する生成部と
を具備する画像表示装置。
（１６）（１５）に記載の画像表示装置であって、さらに、
外部の空気を吸入する吸気口を有する筐体部を具備し、
前記第３のセンサ部は、前記吸気口の近傍に配置され前記吸気口から吸入される前記外部の空気の温度を、前記外部の温度として検出する
画像表示装置。
（１７）（１５）又は（１６）に記載の画像表示装置であって、
前記光源制御部は、前記生成された状態情報に基づいて、前記光源部を制御する
画像表示装置。
（１８）（１）から（１７）のうちいずれか１つに記載の画像表示装置であって、さらに、
前記光源部から出射された前記出射光に基づいて画像を生成する画像生成部と、
前記画像生成部により生成された画像を投射する投射部と
を具備する画像表示装置。
【符号の説明】
【０１５５】
Ｗ…白色光
Ｗ'…白色光の漏れ光
１３…レーザ光源
１００…光源部
２００…画像生成部
４００…投射部
４５０…筐体部
４５２…吸気口
４７０…センサ機構
４７１…輝度センサ
４７２…光源温度センサ
４７３…環境温度センサ
４９０…コントローラ
４９１…光源制御部
５００…画像表示装置
【図１】
2019111548.tif 000003
【図２】
2019111548.tif 000004
【図３】
2019111548.tif 000005
【図４】
2019111548.tif 000006
【図５】
2019111548.tif 000007
【図６】
2019111548.tif 000008
【図７】
2019111548.tif 000009
【図８】
2019111548.tif 000010
【図９】
2019111548.tif 000011
【図１０】
2019111548.tif 000012
【図１１】
2019111548.tif 000013
【国際調査報告】
2019111548.tif 000014
2019111548.tif 000015
2019111548.tif 000016
2019111548.tif 000017
2019111548.tif 000018
2019111548.tif 000019